(57)【要約】【課題】オーダー毎に処理状況を一元管理することができるオーダーステータス管理装置、オーダーステータス管理方法、およびオーダーステータス管理プログラムの提供を課題とする。【解決手段】本実施形態では、発注処理から入荷処理、仕入処理、支払処理の度に入力する一連の取引情報を管理するものであり、取引情報記憶部に取引情報を登録し、取引情報の登録時に発注時のオーダー番号をキーとして、取引情報記憶部に記憶される取引情報を更新し、取引情報記憶部に対してオーダー番号に基づいてオーダー毎の取引情報を抽出し、抽出されたオーダー毎の取引情報に基づいて処理状況を管理する。【選択図】図１
2020004246.tif 000002
【特許請求の範囲】
【請求項１】
記憶部と制御部とを備え、発注処理から入荷処理、仕入処理、支払処理の度に入力する一連の取引情報を管理するオーダーステータス管理装置であって、
前記記憶部には、
前記一連の取引情報を登録して管理する取引情報記憶部、が格納されており、
前記制御部は、
前記取引情報記憶部に前記取引情報を登録する登録手段と、
前記取引情報の登録時に発注時のオーダー番号をキーとして、前記取引情報記憶部に記憶される前記取引情報を更新する更新手段と、
前記取引情報記憶部に対して前記オーダー番号に基づいてオーダー毎の前記取引情報を抽出する抽出手段と、を備え、抽出されたオーダー毎の前記取引情報に基づいて処理状況を管理すること、
を特徴とするオーダーステータス管理装置。
【請求項２】
記憶部および制御部を備え、発注処理から入荷処理、仕入処理、支払処理の度に入力する一連の取引情報を管理する情報処理装置で実行されるオーダーステータス管理方法であって、
前記記憶部には、
前記一連の取引情報を登録して管理する取引情報記憶部、が格納されており、
前記制御部で実行される、
前記取引情報記憶部に前記取引情報を登録する登録ステップと、
前記取引情報の登録時に発注時のオーダー番号をキーとして、前記取引情報記憶部に記憶される前記取引情報を更新する更新ステップと、
前記取引情報記憶部に対して前記オーダー番号に基づいてオーダー毎の前記取引情報を抽出する抽出ステップと、
抽出されたオーダー毎の前記取引情報に基づいて処理状況を管理する管理ステップと、
を含むこと、
を特徴とするオーダーステータス管理方法。
【請求項３】
記憶部および制御部を備え、発注処理から入荷処理、仕入処理、支払処理の度に入力する一連の取引情報を管理する情報処理装置に実行させるためのオーダーステータス管理プログラムであって、
前記記憶部には、
前記一連の取引情報を登録して管理する取引情報記憶部、が格納されており、
前記制御部に実行させるための、
前記取引情報記憶部に前記取引情報を登録する登録ステップと、
前記取引情報の登録時に発注時のオーダー番号をキーとして、前記取引情報記憶部に記憶される前記取引情報を更新する更新ステップと、
前記取引情報記憶部に対して前記オーダー番号に基づいてオーダー毎の前記取引情報を抽出する抽出ステップと、
抽出されたオーダー毎の前記取引情報に基づいて処理状況を管理する管理ステップと、
を含むこと、
を特徴とするオーダーステータス管理プログラム。
【発明の詳細な説明】
【技術分野】
【０００１】
本発明は、オーダーステータス管理装置、オーダーステータス管理方法、およびオーダーステータス管理プログラムに関する。
【背景技術】
【０００２】
特許文献１には、複数の支店で作成した受注伝票等の営業情報を本店のコンピュータで一元管理する方法として、本店のコンピュータが受注伝票等の処理状況を管理し、外部への発注伝票等を作成して、各支店を送ることが開示されている（０００２，００１９，００２０段落等参照）。
【先行技術文献】
【特許文献】
【０００３】
【特許文献１】特開平０５−１８９４５８号公報
【発明の概要】
【発明が解決しようとする課題】
【０００４】
しかしながら、特許文献１には、発注から入荷、仕入、および支払入力を行う一連の取引情報をステータステーブルに登録する際、オーダー番号をキーとして各取引情報を更新することで、オーダー毎に処理状況を一元管理することは記載されていません。
【０００５】
本発明は、上記に鑑みてなされたものであって、発注から入荷、仕入、および支払入力を行う一連の取引情報をステータステーブルに登録する際、オーダー番号をキーとして各取引情報を更新することで、オーダー毎に処理状況を一元管理することができるオーダーステータス管理装置、オーダーステータス管理方法、およびオーダーステータス管理プログラムを提供することを目的とする。
【課題を解決するための手段】
【０００６】
上述した課題を解決し、目的を達成するために、本発明に係るオーダーステータス管理装置は、記憶部と制御部とを備え、発注処理から入荷処理、仕入処理、支払処理の度に入力する一連の取引情報を管理するオーダーステータス管理装置であって、前記記憶部には、前記一連の取引情報を登録して管理する取引情報記憶部、が格納されており、前記制御部は、前記取引情報記憶部に前記取引情報を登録する登録手段と、前記取引情報の登録時に発注時のオーダー番号をキーとして、前記取引情報記憶部に記憶される前記取引情報を更新する更新手段と、前記取引情報記憶部に対して前記オーダー番号に基づいてオーダー毎の前記取引情報を抽出する抽出手段と、を備え、抽出されたオーダー毎の前記取引情報に基づいて処理状況を管理すること、を特徴とする。
【０００７】
また、本発明に係るオーダーステータス管理方法は、記憶部および制御部を備え、発注処理から入荷処理、仕入処理、支払処理の度に入力する一連の取引情報を管理する情報処理装置で実行されるオーダーステータス管理方法であって、前記記憶部には、前記一連の取引情報を登録して管理する取引情報記憶部、が格納されており、前記制御部で実行される、前記取引情報記憶部に前記取引情報を登録する登録ステップと、前記取引情報の登録時に発注時のオーダー番号をキーとして、前記取引情報記憶部に記憶される前記取引情報を更新する更新ステップと、前記取引情報記憶部に対して前記オーダー番号に基づいてオーダー毎の前記取引情報を抽出する抽出ステップと、抽出されたオーダー毎の前記取引情報に基づいて処理状況を管理する管理ステップと、を含むこと、を特徴とする。
【０００８】
また、本発明に係るオーダーステータス管理プログラムは、記憶部および制御部を備え、発注処理から入荷処理、仕入処理、支払処理の度に入力する一連の取引情報を管理する情報処理装置に実行させるためのオーダーステータス管理プログラムであって、前記記憶部には、前記一連の取引情報を登録して管理する取引情報記憶部、が格納されており、前記制御部に実行させるための、前記取引情報記憶部に前記取引情報を登録する登録ステップと、前記取引情報の登録時に発注時のオーダー番号をキーとして、前記取引情報記憶部に記憶される前記取引情報を更新する更新ステップと、前記取引情報記憶部に対して前記オーダー番号に基づいてオーダー毎の前記取引情報を抽出する抽出ステップと、抽出されたオーダー毎の前記取引情報に基づいて処理状況を管理する管理ステップと、を含むこと、を特徴とする。
【発明の効果】
【０００９】
本発明によれば、発注から入荷、仕入、および支払入力を行う一連の取引情報をステータステーブルに登録する際、オーダー番号をキーとして各取引情報を更新することで、オーダー毎に処理状況を一元管理することができる、という効果を奏する。
【図面の簡単な説明】
【００１０】
【図１】図１は、オーダーステータス管理装置の構成の一例を示すブロック図である。
【図２】図２は、発注情報の一例を示す図である。
【図３】図３は、入荷予定情報の一例を示す図である。
【図４】図４は、入荷情報の一例を示す図である。
【図５】図５は、仕入情報の一例を示す図である。
【図６】図６は、諸掛情報の一例を示す図である。
【図７】図７は、支払情報の一例を示す図である。
【図８】図８は、納付情報の一例を示す図である。
【図９】図９は、輸入ステータステーブルの一例を示す図である。
【図１０】図１０は、抽出条件入力画面の一例を示す図である。
【図１１】図１１は、取引情報詳細画面の一例を示す図である。
【図１２】図１２は、売上情報の一例を示す図である。
【発明を実施するための形態】
【００１１】
以下に、本発明に係るオーダーステータス管理装置、オーダーステータス管理方法、およびオーダーステータス管理プログラムの実施形態を、図面に基づいて詳細に説明する。なお、本実施形態によりこの発明が限定されるものではない。
【００１２】
［１．概要］
通関業務は、倉庫管理会社の通関士に任されており、円貨のみでシステム管理されている。そして、入荷状況に関しては、更新して確認する仕組みが無いため、システム管理の精度が低く、表計算ソフト等を用いて、別個の管理や問合せに対する対応が行われている。
【００１３】
そこで、本実施形態では、例えば、発注時に採番したオーダー番号を、発注後の工程における入荷予定情報、入荷情報、仕入情報、諸掛情報、支払情報、納付情報等と紐付けることにより、入荷状況だけでなく、外貨、レート（例えば、発生、通関、決済）、円貨等を容易に把握することができることがオーダーステータス管理装置、オーダーステータス管理方法、およびオーダーステータス管理プログラムを提供している。以下、具体的な構成および動作について説明する。
【００１４】
［２．構成］
本実施形態に係るオーダーステータス管理装置１００の構成について、図１を用いて説明する。図１は、オーダーステータス管理装置の構成の一例を示すブロック図である。
【００１５】
オーダーステータス管理装置１００は、市販のデスクトップ型パーソナルコンピュータである。なお、オーダーステータス管理装置１００は、デスクトップ型パーソナルコンピュータのような据置型情報処理装置に限らず、市販されているノート型パーソナルコンピュータ、ＰＤＡ（Ｐｅｒｓｏｎａｌ  Ｄｉｇｉｔａｌ  Ａｓｓｉｓｔａｎｔｓ）、スマートフォン、タブレット型パーソナルコンピュータなどの携帯型情報処理装置であってもよい。
【００１６】
オーダーステータス管理装置１００は、図１に示すように、制御部１０２と通信インターフェース部１０４と記憶部１０６と入出力インターフェース部１０８と、を備えている。オーダーステータス管理装置１００が備えている各部は、任意の通信路を介して通信可能に接続されている。
【００１７】
通信インターフェース部１０４は、ルータ等の通信装置および専用線等の有線または無線の通信回線を介して、オーダーステータス管理装置１００をネットワーク３００に通信可能に接続する。通信インターフェース部１０４は、他の装置と通信回線を介してデータを通信する機能を有する。ここで、ネットワーク３００は、オーダーステータス管理装置１００とサーバ２００とを相互に通信可能に接続する機能を有し、例えばインターネットやＬＡＮ（Ｌｏｃａｌ  Ａｒｅａ  Ｎｅｔｗｏｒｋ）等である。なお、後述する記憶部１０６に格納されるデータは、サーバ２００に格納されてもよい。
【００１８】
入出力インターフェース部１０８には、入力装置１１２および出力装置１１４が接続されている。出力装置１１４には、モニタ（家庭用テレビを含む）の他、スピーカやプリンタを用いることができる。入力装置１１２には、キーボード、マウス、およびマイクの他、マウスと協働してポインティングデバイス機能を実現するモニタを用いることができる。なお、以下では、出力装置１１４をモニタ１１４とし、入力装置１１２をキーボード１１２またはマウス１１２として記載する場合がある。
【００１９】
記憶部１０６には、各種のデータベース、テーブル、およびファイルなどが格納される。記憶部１０６には、ＯＳ（Ｏｐｅｒａｔｉｎｇ  Ｓｙｓｔｅｍ）と協働してＣＰＵ（Ｃｅｎｔｒａｌ  Ｐｒｏｃｅｓｓｉｎｇ  Ｕｎｉｔ）に命令を与えて各種処理を行うためのコンピュータプログラムが記録される。記憶部１０６として、例えば、ＲＡＭ（Ｒａｎｄｏｍ  Ａｃｃｅｓｓ  Ｍｅｍｏｒｙ）・ＲＯＭ（Ｒｅａｄ  Ｏｎｌｙ  Ｍｅｍｏｒｙ）等のメモリ装置、ハードディスクのような固定ディスク装置、フレキシブルディスク、および光ディスク等を用いることができる。
【００２０】
記憶部１０６は、発注情報１０６ａ、入荷予定情報１０６ｂ、入荷情報１０６ｃ、仕入情報１０６ｄ、諸掛情報１０６ｅ、支払（決済）情報１０６ｆ、納付情報１０６ｇ、および輸入ステータステーブル１０６ｈを記憶する。本実施形態では、発注情報１０６ａ、入荷予定情報１０６ｂ、入荷情報１０６ｃ、仕入情報１０６ｄ、諸掛情報１０６ｅ、支払情報１０６ｆ、および納付情報１０６ｇが、発注処理から入荷処理、仕入処理、支払処理の度に入力される一連の取引情報の一例である。また、本実施形態では、輸入ステータステーブル１０６ｈが、一連の取引情報を登録して管理する取引情報記憶部の一例である。なお、各データ含む内容の概略は以下のとおりであるが、各データが含む項目の詳細は、以下［３．処理の具体例］で説明する。
【００２１】
以下の説明においては、本実施形態にかかるオーダーステータス管理装置１００を、発注処理から入荷処理、仕入処理、支払処理の度に入力する一連の取引情報を管理する業務に活用する場面を想定している。
【００２２】
制御部１０２は、オーダーステータス管理装置１００を統括的に制御するＣＰＵ等である。制御部１０２は、ＯＳ等の制御プログラム・各種の処理手順等を規定したプログラム・所要データなどを格納するための内部メモリを有し、格納されているこれらのプログラムに基づいて種々の情報処理を実行する。
【００２３】
制御部１０２は、機能概念的に、輸入ステータステーブル１０６ｈに取引情報を登録する登録部１０２ａと、取引情報の登録時に発注時のオーダー番号をキーとして、輸入ステータステーブル１０６ｈに記憶される取引情報を更新する更新部１０２ｂと、輸入ステータステーブル１０６ｈに対してオーダー番号に基づいてオーダー毎の取引情報を抽出する抽出部１０２ｃと、を備え、抽出されたオーダー毎の取引情報に基づいて処理状況を管理する。なお、各部が実行する処理の詳細については、以下の［３．処理の具体例］にて詳細に説明する。
【００２４】
［３．処理の具体例］
以下、本実施形態に係る処理の具体例について、図２〜図１０を用いて詳細に説明する。図２は、発注情報の一例を示す図である。図３は、入荷予定情報の一例を示す図である。図４は、入荷情報の一例を示す図である。図５は、仕入情報の一例を示す図である。図６は、諸掛情報の一例を示す図である。図７は、支払情報の一例を示す図である。図８は、納付情報の一例を示す図である。図９は、輸入ステータステーブルの一例を示す図である。図１０は、抽出条件入力画面の一例を示す図である。図１１は、取引情報詳細画面の一例を示す図である。図１２は、売上情報の一例を示す図である。
【００２５】
本実施形態に係る処理の概要は以下のとおりである。すなわち、登録部１０２ａが、輸入ステータステーブル１０６ｈに対して取引情報を登録する。更新部１０２ｂは、取引情報の登録時に発注時のオーダー番号をキーとして、輸入ステータステーブル１０６ｈに記憶される取引情報を更新する。抽出部１０２ｃは、輸入ステータステーブル１０６ｈに対してオーダー番号に基づいてオーダー毎の取引情報を抽出する。そして、制御部１０２は、抽出されたオーダー毎の取引情報に基づいて処理状況を管理する。
【００２６】
以下、本実施形態に係る処理の詳細を説明するが、以下においては、ワイン業等の商品の輸入販売業務において各伝票登録時にオーダー番号をキーにして、輸入ステータステーブル１０６ｈに記憶される取引情報を更新することによって、オーダー毎の処理状況を一元管理する場合を想定して説明する。
【００２７】
登録部１０２ａは、入力装置１１２から入力される発注情報１０６ａを記憶部１０６に登録（保存）する。発注情報１０６ａは、商品の発注に関する情報である。本実施形態では、発注情報１０６ａは、図２に示すように、発注番号と、発注日と、仕入先と、生産者と、オーダー番号と、行番号と、入荷予定日と、商品と、数量と、発注単価（外貨）と、発注金額（外貨）と、発注レートと、発注単価（邦貨）と、発注金額（邦貨）とを紐付ける情報である。
【００２８】
また、登録部１０２ａは、入力装置１１２から入力される入荷予定情報１０６ｂを記憶部１０６に登録（保存）する。入荷予定情報１０６ｂは、商品の入荷予定に関する情報である。本実施形態では、入荷予定情報１０６ｂは、図３に示すように、入荷予定番号と、発注番号と、オーダー番号と、行番号と、入荷予定日と、通関予定日とを紐付ける情報である。
【００２９】
また、登録部１０２ａは、入力装置１１２から入力される入荷情報１０６ｃを記憶部１０６に登録（保存）する。入荷情報１０６ｃは、商品の入荷に関する情報である。本実施形態では、入荷情報１０６ｃは、図４に示すように、入荷番号と、発注番号と、オーダー番号と、行番号と、入荷日と、入荷数とを紐付ける情報である。
【００３０】
また、登録部１０２ａは、入力装置１１２から入力される仕入情報１０６ｄを記憶部１０６に登録（保存）する。仕入情報１０６ｄは、商品の仕入に関する情報である。本実施形態では、仕入情報１０６ｄは、図５に示すように、仕入番号と、入荷番号と、発注番号と、オーダー番号と、行番号と、仕入日と、仕入数と、計上単価（外貨）と、計上金額（外貨）と、通関レートと、計上単価（邦貨）と、計上金額（邦貨）とを紐付ける情報である。
【００３１】
また、登録部１０２ａは、入力装置１１２から入力される諸掛情報１０６ｅを記憶部１０６に登録（保存）する。諸掛情報１０６ｅは、商品の仕入時の諸掛に関する情報である。本実施形態では、諸掛情報１０６ｅは、図６に示すように、諸掛番号と、入荷番号と、オーダー番号と、行番号と、フレート金額（外貨）と、決済レートと、フレート金額（邦貨）と、商品１つ当たりのフレート金額（邦貨）とを紐付ける情報である。
【００３２】
また、登録部１０２ａは、入力装置１１２から入力される支払情報１０６ｆを記憶部１０６に登録（保存）する。支払情報１０６ｆは、仕入れた商品の金額の支払または仕入時の費用に関する情報である。本実施形態では、支払情報１０６ｆは、図７に示すように、仕入番号と、オーダー番号と、行番号と、決済レートと、支払金額（外貨）と、支払金額（邦貨）とを紐付ける情報である。または、支払情報１０６ｆは、図８に示すように、諸掛番号と、オーダー番頭と、行番号と、決済レートと、支払金額（外貨）と、支払金額（邦貨）とを紐付ける情報である。
【００３３】
また、登録部１０２ａは、入力装置１１２から入力される納付情報１０６ｇを記憶部１０６に登録（保存）する。納付情報１０６ｇは、商品の輸入に課される税金に関する情報である。本実施形態では、納付情報１０６ｇは、図８に示すように、オーダー番号と、行番号と、酒税と、関税とを紐付ける情報である。
【００３４】
また、登録部１０２ａは、発注情報１０６ａ、入荷予定情報１０６ｂ、入荷情報１０６ｃ、仕入情報１０６ｄ、諸掛情報１０６ｅ、支払情報１０６ｆ、納付情報１０６ｇ等の取引情報を輸入ステータステーブル１０６ｈに登録（保存）する。輸入ステータステーブル１０６ｈは、図９に示すように、オーダー番号（本実施形態では、オーダー番号および行番号）と紐付けて、発注情報１０６ａ、入荷予定情報１０６ｂ、入荷情報１０６ｃ、仕入情報１０６ｄ、諸掛情報１０６ｅ、支払情報１０６ｆ、および納付情報１０６ｇを記憶する。
【００３５】
更新部１０２ｂは、登録部１０２ａによる取引情報の登録時に（言い換えると、登録部１０２ａによる記憶部１０６に対する取引情報の保存時に）、オーダー番号をキーとして、輸入ステータステーブル１０６ｈに記憶される取引情報を更新する。具体的には、更新部１０２ｂは、発注時等に入力される発注情報１０６ａが記憶部１０６に登録される際に、輸入ステータステーブル１０６ｈにおいて、入力された発注情報１０６ａが含むオーダー番号および行番号と対応付けられる発注情報１０６ａを更新する。
【００３６】
また、更新部１０２ｂは、船積時等に入力される入荷予定情報１０６ｂが記憶部１０６に登録される際に、輸入ステータステーブル１０６ｈにおいて、入力された入荷予定情報１０６ｂが含むオーダー番号および行番号と対応付けられる入荷予定情報１０６ｂを更新する。
【００３７】
また、更新部１０２ｂは、通関の通過時または引取時等に入力される入荷情報１０６ｃが記憶部１０６に登録される際に、輸入ステータステーブル１０６ｈにおいて、入力された入荷情報１０６ｃが含むオーダー番号および行番号と対応付けられる入荷情報１０６ｃを更新する。
【００３８】
また、更新部１０２ｂは、仕入の金額の請求書の受領時等に入力される仕入情報１０６ｄが記憶部１０６に登録される際に、輸入ステータステーブル１０６ｈにおいて、入力された仕入情報１０６ｄが含むオーダー番号および行番号と対応付けられる仕入情報１０６ｄを更新する。
【００３９】
また、更新部１０２ｂは、保険料等の請求書の受領時等に入力される諸掛情報１０６ｅが記憶部１０６に登録される際に、輸入ステータステーブル１０６ｈにおいて、入力された諸掛情報１０６ｅが含むオーダー番号および行番号と対応付けられる諸掛情報１０６ｅを更新する。
【００４０】
また、更新部１０２ｂは、仕入の金額または保険料等の支払決済時に入力される支払情報１０６ｆが記憶部１０６に登録される際に、輸入ステータステーブル１０６ｈにおいて、入力された支払情報１０６ｆが含むオーダー番号および行番号と対応付けられる支払情報１０６ｆを更新する。
【００４１】
また、更新部１０２ｂは、酒税や関税情報が把握された際に入力される納付情報１０６ｇが記憶部１０６に登録される際に、輸入ステータステーブル１０６ｈにおいて、入力された納付情報１０６ｇが含むオーダー番号および行番号と対応付けられる納付情報１０６ｇを更新する。
【００４２】
抽出部１０２ｃは、輸入ステータステーブル１０６ｈに対してオーダー番号に基づいてオーダー毎の取引情報を抽出する。そして、制御部１０２は、抽出されたオーダー毎の取引情報に基づいて処理状況を管理する。
【００４３】
本実施形態では、抽出部１０２ｃは、入力装置１１２から取引情報の抽出が指示されると、取引情報の抽出条件を入力可能な抽出条件入力画面Ｇ１をモニタ１１４に表示させる。抽出条件入力画面Ｇ１は、図１０に示すように、事業所、仕入先、発注日、オーダー番号および行番号、生産者、ステータス（例えば、発注数有、インボイス発行済、入荷済、仕入計上済未入荷、仕入計上済、支払済）等の抽出条件を入力可能な抽出条件入力欄１００１と、入力された抽出条件に従って抽出された取引情報の一覧である取引情報一覧１００２と、を含む。
【００４４】
抽出部１０２ｃは、抽出条件入力欄１００１に入力される抽出条件をキーとして、輸入ステータステーブル１０６ｈから、取引情報の概要（例えば、入力された抽出条件と対応付けられる取引情報の一部）を抽出し、当該取引情報の概要の一覧を取引情報一覧１００２に表示させる。
【００４５】
また、抽出部１０２ｃは、入力装置１１２が操作されて、抽出条件入力画面Ｇ１が含む取引情報一覧１００２に表示される取引情報のいずれかがダブルクリック（選択）されると、ダブルクリックされた取引情報の詳細を表示する取引情報詳細画面Ｇ２をモニタ１１４に表示させる。取引情報詳細画面Ｇ２は、図１１に示すように、選択された取引情報の抽出に用いた抽出条件を示す抽出条件表示欄１１０１と、選択された取引情報の詳細を表示する詳細表示欄１１０２と、を含む。
【００４６】
詳細表示欄１１０２には、図１１に示すように、輸入ステータステーブル１０６ｈに記憶される取引情報のうち、選択された取引情報の詳細（例えば、発注情報、入荷情報、諸掛情報、支払情報、納付情報）が表示される。ここで、発注情報は、発注時に入力される発注情報１０６ａによって更新される。入荷情報は、船積時等の入荷時に入力される入荷情報更新される。支払情報は、支払決済時に入力される支払情報１０６ｆによって更新される。
【００４７】
納付情報は、酒税や関税等の各種税金の納付時に入力される納付情報１０６ｇによって更新される。その際、抽出部１０２ｃは、入力される納付情報１０６ｇに基づいて、商品１つ当たりの酒税や関税等の税金の単価を計算する。そして、抽出部１０２ｃは、図１１に示すように、商品１つ当たりの単価である本体単価、商品１つ当たりのフレート金額、商品１つ当たりの税金の単価、商品１つ当たりの原価である原価単価等を含む原価情報を、詳細表示欄１１０２に含めても良い。
【００４８】
また、抽出部１０２ｃは、商品の売上時に、輸入ステータステーブル１０６ｈに含まれる納付情報１０６ｇ等を用いて、売り上げた商品の原価単価を算出する。そして、抽出部１０２ｃは、算出した原価単価を含む売上情報１０６ｉを作成する。本実施形態では、売上情報１０６ｉは、図１２に示すように、得意先コードと、得意先名と、売上日と、商品と、商品名と、オーダー番号と、行番号と、数量と、売上単価と、原価単価とを紐付ける情報である。そして、抽出部１０２ｃは、輸入ステータステーブル１０６ｈに対して、売り上げた商品のオーダー番号に対応付けて、作成した売上情報１０６ｉをセット（保存）する。
【００４９】
このように、本実施形態によれば、発注から入荷、仕入、および支払入力を行う一連の取引情報をステータステーブルに登録する際、オーダー番号をキーとして各取引情報を更新することで、オーダー毎に処理状況を一元管理することができる。
【００５０】
［４．他の実施形態］
本発明は、上述した実施形態以外にも、特許請求の範囲に記載した技術的思想の範囲内において種々の異なる実施形態にて実施されてよいものである。
【００５１】
例えば、実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【００５２】
また、本明細書中や図面中で示した処理手順、制御手順、具体的名称、各処理の登録データや検索条件等のパラメータを含む情報、画面例、データベース構成については、特記する場合を除いて任意に変更することができる。
【００５３】
また、オーダーステータス管理装置１００に関して、図示の各構成要素は機能概念的なものであり、必ずしも物理的に図示の如く構成されていることを要しない。
【００５４】
例えば、オーダーステータス管理装置１００が備える処理機能、特に制御部１０２にて行われる各処理機能については、その全部または任意の一部を、ＣＰＵおよび当該ＣＰＵにて解釈実行されるプログラムにて実現してもよく、また、ワイヤードロジックによるハードウェアとして実現してもよい。尚、プログラムは、本実施形態で説明した処理を情報処理装置に実行させるためのプログラム化された命令を含む一時的でないコンピュータ読み取り可能な記録媒体に記録されており、必要に応じてオーダーステータス管理装置１００に機械的に読み取られる。すなわち、ＲＯＭまたはＨＤＤ（Ｈａｒｄ  Ｄｉｓｋ  Ｄｒｉｖｅ）などの記憶部などには、ＯＳと協働してＣＰＵに命令を与え、各種処理を行うためのコンピュータプログラムが記録されている。このコンピュータプログラムは、ＲＡＭにロードされることによって実行され、ＣＰＵと協働して制御部を構成する。
【００５５】
また、このコンピュータプログラムは、オーダーステータス管理装置１００に対して任意のネットワークを介して接続されたアプリケーションプログラムサーバに記憶されていてもよく、必要に応じてその全部または一部をダウンロードすることも可能である。
【００５６】
また、本実施形態で説明した処理を実行するためのプログラムを、一時的でないコンピュータ読み取り可能な記録媒体に格納してもよく、また、プログラム商品として構成することもできる。ここで、この「記録媒体」とは、メモリーカード、ＵＳＢ（Ｕｎｉｖｅｒｓａｌ  Ｓｅｒｉａｌ  Ｂｕｓ）メモリ、ＳＤ（Ｓｅｃｕｒｅ  Ｄｉｇｉｔａｌ）カード、フレキシブルディスク、光磁気ディスク、ＲＯＭ、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（登録商標）（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）、ＣＤ−ＲＯＭ（Ｃｏｍｐａｃｔ  Ｄｉｓｋ  Ｒｅａｄ  Ｏｎｌｙ  Ｍｅｍｏｒｙ）、ＭＯ（Ｍａｇｎｅｔｏ−Ｏｐｔｉｃａｌ  ｄｉｓｋ）、ＤＶＤ（Ｄｉｇｉｔａｌ  Ｖｅｒｓａｔｉｌｅ  Ｄｉｓｋ）、および、Ｂｌｕ−ｒａｙ（登録商標）  Ｄｉｓｃ等の任意の「可搬用の物理媒体」を含むものとする。したがって、本明細書で説明したような処理又は処理方法を実行するためのプログラムを格納した記録媒体もまた本発明を構成することとなる。
【００５７】
また、「プログラム」とは、任意の言語または記述方法にて記述されたデータ処理方法であり、ソースコードまたはバイナリコード等の形式を問わない。なお、「プログラム」は必ずしも単一的に構成されるものに限られず、複数のモジュールやライブラリとして分散構成されるものや、ＯＳに代表される別個のプログラムと協働してその機能を達成するものをも含む。なお、実施形態に示した各装置において記録媒体を読み取るための具体的な構成および読み取り手順ならびに読み取り後のインストール手順等については、周知の構成や手順を用いることができる。
【００５８】
記憶部１０６に格納される各種のデータベース等は、ＲＡＭ、ＲＯＭ等のメモリ装置、ハードディスク等の固定ディスク装置、フレキシブルディスク、および、光ディスク等のストレージ手段であり、各種処理やウェブサイト提供に用いる各種のプログラム、テーブル、データベース、および、ウェブページ用ファイル等を格納する。
【００５９】
また、オーダーステータス管理装置１００は、既知のパーソナルコンピュータまたはワークステーション等の情報処理装置として構成してもよく、また、任意の周辺装置が接続された当該情報処理装置として構成してもよい。また、オーダーステータス管理装置１００は、当該装置に本実施形態で説明した処理を実現させるソフトウェア（プログラムまたはデータ等を含む）を実装することにより実現してもよい。
【００６０】
更に、装置の分散・統合の具体的形態は図示するものに限られず、その全部または一部を、各種の付加等に応じてまたは機能負荷に応じて、任意の単位で機能的または物理的に分散・統合して構成することができる。すなわち、上述した実施形態を任意に組み合わせて実施してもよく、実施形態を選択的に実施してもよい。
【産業上の利用可能性】
【００６１】
本発明は、特に、輸入販売業務において有用である。
【符号の説明】
【００６２】
１００  オーダーステータス管理装置
１０２  制御部
１０２ａ  登録部
１０２ｂ  更新部
１０２ｃ  抽出部
１０４  通信インターフェース部
１０６  記憶部
１０６ａ  発注情報
１０６ｂ  入荷予定情報
１０６ｃ  入荷情報
１０６ｄ  仕入情報
１０６ｅ  諸掛情報
１０６ｆ  支払情報
１０６ｇ  納付情報
１０６ｈ  輸入ステータステーブル
１０６ｉ  売上情報
１０８  入出力インターフェース部
１１２  入力装置
１１４  出力装置
２００  サーバ
３００  ネットワーク
【図１】
2020004246.tif 000003
【図２】
2020004246.tif 000004
【図３】
2020004246.tif 000005
【図４】
2020004246.tif 000006
【図５】
2020004246.tif 000007
【図６】
2020004246.tif 000008
【図７】
2020004246.tif 000009
【図８】
2020004246.tif 000010
【図９】
2020004246.tif 000011
【図１０】
2020004246.tif 000012
【図１１】
2020004246.tif 000013
【図１２】
2020004246.tif 000014